(57)【特許請求の範囲】
【請求項１】
第１のコネクタハウジング内に収容された分岐用ターミナルのバッテリ接続部と、バッテリ用ターミナルのバッテリ接続部とが、重合状態においてバッテリ端子にボルト又はナットにより締付け固定されると共に、
前記分岐用ターミナルに接続される接続端子を収容保持した第２のコネクタハウジングが、前記第１のコネクタハウジングに嵌合接続されるバッテリ端子接続コネクタであって、
前記第１のコネクタハウジングが、前記バッテリ端子に締付け固定される前記分岐用ターミナルのバッテリ接続部と前記バッテリ用ターミナルのバッテリ接続部とを覆いながら前記ボルト又はナットを締付け固定可能とする作業用開口を有すると共に、
前記第２のコネクタハウジングが、前記第１のコネクタハウジングに嵌合接続された際に前記作業用開口を閉塞することができる開口カバー部を有することを特徴とするバッテリ端子接続コネクタ。
【請求項２】
前記バッテリ用ターミナルのバッテリ接続部に対向する前記第１のコネクタハウジングのハウジング外壁又は前記分岐用ターミナルのバッテリ接続部の少なくとも一方には、該バッテリ用ターミナルのバッテリ接続部に係合して相対回転を阻止する回り止め手段が設けられていることを特徴とする請求項１に記載のバッテリ端子接続コネクタ。
【発明の詳細な説明】
【０００１】
【発明の属する技術分野】
本発明は、コネクタハウジング内に収容された分岐用ターミナルのバッテリ接続部が、バッテリ用ターミナルのバッテリ接続部と共にバッテリ端子に固定されるバッテリ端子接続コネクタに関する。
【０００２】
【従来の技術】
従来より、コネクタやヒューズボックス等のハウジング内に収容された分岐用ターミナルのバッテリ接続部が、バッテリ用ターミナルのバッテリ接続部と共にバッテリ端子に固定されたバッテリが知られている。
図５に示したヒュージブルリンクボックス１は、ボックス本体３内の接続端子４にヒュージブルリンク６を介して導通接続される分岐用ターミナル８のバッテリ接続部８ｂと、バッテリ用ターミナル１０のバッテリ接続部１０ｂとが、重合状態においてバッテリ１２の正極のバッテリ端子１４にボルト１７により締付け固定される。
【０００３】
前記バッテリ端子１４は、角柱状の電極であり、平坦な上端面の中央にボルト１７を螺合する雌ねじ１５が形成されている。
前記分岐用ターミナル８は、バッテリ端子１４に螺合するボルト１７を挿通する取付穴８ａを穿設したバッテリ接続部８ｂと、前記ボックス本体３内に一定間隔で収容保持される複数個の分岐用接続部８ｃとを一体形成した構造である。
【０００４】
前記ボックス本体３内の分岐用接続部８ｃは、電線１９の端部に接続されて前記ボックス本体３内に収容保持された接続端子４にヒュージブルリンク６を介して導通接続される
また、前記分岐用ターミナル８は、前記バッテリ接続部８ｂをボックス本体３の外部に突出させた形態で、該ボックス本体３内に保持されている。
【０００５】
前記ボックス本体３の上面には、前記分岐用接続部８ｃや接続端子４にヒュージブルリンク６を嵌合接続する嵌合装着孔３ａが開口されている。また、ボックス本体３の上面の一側には、嵌合装着孔３ａや該嵌合装着孔３ａに装着されたヒュージブルリンク６の上方を覆うカバー３ｂが、薄肉ヒンジ部３ｃによって開閉可能に設けられている。
【０００６】
前記バッテリ用ターミナル１０は、前記バッテリ端子１４にネジ止めされるバッテリ接続部１０ｂと車載の電気回路の主電源ケーブル２０の端部に圧着接続されるケーブル圧着部１０ａとを備えた構成であり、バッテリ接続部１０ｂには前記ボルト１７を挿通させる取付穴１０ｃが穿設されている。
【０００７】
【発明が解決しようとする課題】
ところが、上述のようにヒュージブルリンクボックス１の分岐用ターミナル８をバッテリ用ターミナル１０と共にバッテリ端子１４に締付け固定する構造では、分岐用ターミナル８及びバッテリ用ターミナル１０の各バッテリ接続部８ｂ，１０ｂやバッテリ端子１４が露出した状態となる。
【０００８】
そこで、埃や水滴等の異物の付着によってこれら分岐用ターミナル８、バッテリ用ターミナル１０及びバッテリ端子１４に汚損や腐食といった不都合が発生したり、漏電やショート等の不都合を招く可能性があった。
そして、このような不都合の発生を防止する為に、別部品の絶縁キャップを被冠装着した場合は、部品点数の増加によるコストアップを招くという問題があった。また、この様な絶縁キャップを用いる場合は、装着忘れ等があると効果が発揮できず、信頼性が十分とは言えなかった。
【０００９】
従って、本発明の目的は上記課題を解消することにあり、バッテリ端子に固定される分岐用ターミナルやバッテリ用ターミナルのバッテリ接続部の汚損や腐食を確実に防止することができる良好なバッテリ端子接続コネクタを提供することである。
【００１０】
【課題を解決するための手段】
本発明の上記目的は、第１のコネクタハウジング内に収容された分岐用ターミナルのバッテリ接続部と、バッテリ用ターミナルのバッテリ接続部とが、重合状態においてバッテリ端子にボルト又はナットにより締付け固定されると共に、
前記分岐用ターミナルに接続される接続端子を収容保持した第２のコネクタハウジングが、前記第１のコネクタハウジングに嵌合接続されるバッテリ端子接続コネクタであって、
前記第１のコネクタハウジングが、前記バッテリ端子に締付け固定される前記分岐用ターミナルのバッテリ接続部と前記バッテリ用ターミナルのバッテリ接続部とを覆いながら前記ボルト又はナットを締付け固定可能とする作業用開口を有すると共に、
前記第２のコネクタハウジングが、前記第１のコネクタハウジングに嵌合接続された際に前記作業用開口を閉塞することができる開口カバー部を有することを特徴とするバッテリ端子接続コネクタにより達成される。
【００１１】
上記構成によれば、分岐用ターミナルのバッテリ接続部とバッテリ用ターミナルのバッテリ接続部とが重合した状態で、該分岐用ターミナルを収容する第１のコネクタハウジングにより覆われながらバッテリ端子に締付け固定される。
即ち、前記第１のコネクタハウジングには、作業用開口が形成されており、分岐用ターミナルのバッテリ接続部が第１のコネクタハウジング内に収容されているにも関わらず、バッテリ用ターミナルのバッテリ接続部と重合状態の分岐用ターミナルのバッテリ接続部をボルト又はナットでバッテリ端子に締付け固定することができる。
【００１２】
そして、バッテリ端子に固定された第１のコネクタハウジングに第２のコネクタハウジングを嵌合接続すると、該第２のコネクタハウジングに設けられた開口カバー部によって前記作業用開口が閉塞される。
そこで、バッテリ用ターミナルのバッテリ接続部と重合状態の分岐用ターミナルのバッテリ接続部及びバッテリ端子は、第１のコネクタハウジングと開口カバー部により覆われた状態となり、これらバッテリ接続部とバッテリ端子に外部からの埃や水滴等の異物が付着することを防止できると共に、漏電やショート等の不都合を防止できる。
【００１３】
又、バッテリ端子に固定された第１のコネクタハウジングに第２のコネクタハウジングを嵌合接続することにより、分岐用ターミナルを介して接続端子への給電という所定の機能を発揮するものであり、前記第２のコネクタハウジングの嵌合忘れは発生し得ない。
【００１４】
即ち、上記構成のバッテリ端子接続コネクタの運用時には、必ず、第１のコネクタハウジングに第２のコネクタハウジングが嵌合接続された状態が確保されるので、第２のコネクタハウジングの嵌合忘れによって、前記作業用開口が閉塞されずに上記バッテリ接続部とバッテリ端子とが露出してしまうことがない。
そして、前記作業用開口を塞ぐ開口カバー部は、第２のコネクタハウジングに一体的に設けられており、作業用開口を塞ぐための特別な閉塞操作も必要としていない。
【００１５】
尚、好ましくは前記バッテリ用ターミナルのバッテリ接続部に対向する前記第１のコネクタハウジングのハウジング外壁又は前記分岐用ターミナルのバッテリ接続部の少なくとも一方には、該バッテリ用ターミナルのバッテリ接続部に係合して相対回転を阻止する回り止め手段が設けられている。
この場合、バッテリ用ターミナルのバッテリ接続部と重合状態の分岐用ターミナルのバッテリ接続部をボルト又はナットでバッテリ端子に締付け固定する際には、前記第１のコネクタハウジングを押さえながらボルト又はナットを締め付けることで、前記バッテリ用ターミナルの供回りを防止でき、締付け作業性が向上する。
【００１６】
【発明の実施の形態】
以下、添付図面に基づいて本発明の一実施形態に係るバッテリ端子接続コネクタを詳細に説明する。
図１は本発明の一実施形態に係るバッテリ端子接続コネクタの分解斜視図、図２は図１に示したバッテリ端子接続コネクタの組付け状態を示す要部拡大断面図、図３は図１に示した第１のコネクタハウジングの下面斜視図である。
【００１７】
本実施形態のバッテリ端子接続コネクタ３１は、図１及び図２に示したように、分岐用ターミナル３５を収容した第１のコネクタハウジングである雌コネクタハウジング３２と、前記分岐用ターミナル３５に接続される接続端子４９を収容保持した第２のコネクタハウジングである雄コネクタハウジング３３とから構成されており、互いに嵌合接続される。
そして、前記分岐用ターミナル３５のバッテリ接続部３５ｂと、バッテリ用ターミナル３７のバッテリ接続部３７ｂとが、重合状態においてバッテリ端子４０のバッテリポスト３９に螺合されるナット５０によって締付け固定される。
【００１８】
前記バッテリ端子４０は、図１に示したように、バッテリ４１の正極となる角柱状の電極であり、平坦な上端面の中央には雄ねじ部３９ａを備えたバッテリポスト３９が植設されている。
前記バッテリ用ターミナル３７は、例えば、車載の電気回路の主電源ケーブル４３の端部に圧着接続されるケーブル圧着部３７ａと、ナット５０により前記バッテリポスト３９に締付け固定されるバッテリ接続部３７ｂとを備えた構成であり、バッテリ接続部３７ｂには前記バッテリポスト３９を挿通させる取付穴３７ｃが穿設されている。
【００１９】
本実施形態における前記分岐用ターミナル３５は、バッテリポスト３９が挿通可能な取付穴３５ａを有した平板状のバッテリ接続部３５ｂの一端に、２片の分岐用接続部３５ｃを一体形成した構造であり、バッテリ接続部３５ｂに入力した電流を各分岐用接続部３５ｃに分配する。
【００２０】
前記雌コネクタハウジング３２は、前記分岐用ターミナル３５の分岐用接続部３５ｃを収容保持する端子収容室３２ａを有しており、前記分岐用ターミナル３５を前記バッテリポスト３９に締付け固定することで、該分岐用ターミナル３５と一緒にバッテリー４１のバッテリ端子４０に固定される。
この雌コネクタハウジング３２の上面には、図１及び図２に示したように、前記バッテリ端子４０に締付け固定される前記分岐用ターミナル３５のバッテリ接続部３５ｂと前記バッテリ用ターミナル３７のバッテリ接続部３７ｂとを覆いながら前記バッテリポスト３９にナット５０を締付け固定可能とする作業用開口３２ｂが形成されている。
【００２１】
また、前記雌コネクタハウジング３２の下面には、図３に示したように、前記バッテリ用ターミナル３７のバッテリ接続部３７ｂと、雌コネクタハウジング３２内に収容された前記分岐用ターミナル３５のバッテリ接続部３５ｂとが、密着状態に重合できるように前記バッテリ接続部３５ｂを露呈させる接続用開口３２ｃが形成されている。
更に、前記バッテリ用ターミナル３７のバッテリ接続部３７ｂに対向する雌コネクタハウジング３２下面のハウジング外壁には、該バッテリ接続部３７ｂの両側縁に係合して相対回転を阻止する回り止め手段である一対の位置決めリブ４７，４７が突設されている。
【００２２】
前記雄コネクタハウジング３３は、図１及び図２に示したように、電線１９の端部に接続され、前記分岐用ターミナル３５の分岐用接続部３５ｃに接続される雌形の接続端子４９を収容保持する端子収容室３３ａを有しており、前記雌コネクタハウジング３２に嵌合接続される。
また、この雄コネクタハウジング３３には、前記雌コネクタハウジング３２に嵌合接続された際に、該雌コネクタハウジング３２の上面を覆って前記作業用開口３２ｂを閉塞することができる開口カバー部３３ｂが一体形成されている。
【００２３】
次に、上述したバッテリ端子接続コネクタ３１をバッテリ４１のバッテリ端子４０に取付ける手順を説明する。
先ず、前記雌コネクタハウジング３２内に収容されている分岐用ターミナル３５のバッテリ接続部３５ｂとバッテリ用ターミナル３７のバッテリ接続部３７ｂとを重ねた状態にして、各ターミナルの取付穴３７ｃ，３５ａにバッテリポスト３９を挿通させた後、該バッテリポスト３９にナット５０を螺合させ、雌コネクタハウジング３２によりこれら締結部を覆いながらバッテリ用ターミナル３７及び分岐用ターミナル３５をバッテリ端子４０に締付け固定する。
【００２４】
即ち、前記分岐用ターミナル３５と共にバッテリ４１に固定される前記雌コネクタハウジング３２には、ナット締付け工具を挿入可能な作業用開口３２ｂが形成されており、該分岐用ターミナル３５のバッテリ接続部３５ｂが雌コネクタハウジング３２内に収容されているにも関わらず、前記バッテリ用ターミナル３７のバッテリ接続部３７ｂと重合状態の前記バッテリ接続部３５ｂをナット５０でバッテリ端子４０のバッテリポスト３９に締付け固定することができる。
【００２５】
そして、前記バッテリ端子４０に固定された雌コネクタハウジング３２に前記雄コネクタハウジング３３を嵌合接続すると、該雄コネクタハウジング３３に設けられた開口カバー部３３ｂによって前記作業用開口３２ｂが閉塞される。
そこで、バッテリ用ターミナル３７のバッテリ接続部３７ｂと重合状態の分岐用ターミナル３５のバッテリ接続部３５ｂ及びバッテリ端子４０は、雌コネクタハウジング３２と開口カバー部３３ｂにより上方を覆われた状態となり、これらバッテリ接続部３５ｂ、３７ｂとバッテリ端子４０に外部からの埃や水滴等の異物が付着することを確実に防止できると共に、漏電やショート等の不都合を防止できる。
【００２６】
又、前記バッテリ端子４０に固定された雌コネクタハウジング３２に雄コネクタハウジング３３を嵌合接続することにより、分岐用ターミナル３５を介して接続端子４９への給電という所定の機能を発揮するものであり、前記雄コネクタハウジング３３の嵌合忘れは発生し得ない。
【００２７】
即ち、本実施形態のバッテリ端子接続コネクタ３１の運用時には、必ず、雌コネクタハウジング３２に雄コネクタハウジング３３が嵌合接続された状態が確保されるので、雄コネクタハウジング３３の嵌合忘れによって、前記作業用開口３２ｃが閉塞されずに上記バッテリ接続部３５ｂ、３７ｂとバッテリ端子４０とが露出してしまうことがない。
そして、前記作業用開口３２ｃを塞ぐ開口カバー部３３ｂは、雄コネクタハウジング３３に一体的に設けられており、作業用開口３２ｃを塞ぐための特別な閉塞操作も必要としていない。
【００２８】
更に、本実施形態においては、前記バッテリ用ターミナル３７のバッテリ接続部３７ｂに対向する雌コネクタハウジング３２下面のハウジング外壁に、該バッテリ接続部３７ｂの両側縁に係合して相対回転を阻止する一対の位置決めリブ４７，４７が突設されているので、バッテリ用ターミナル３７のバッテリ接続部３７ｂと重合状態の分岐用ターミナル３５のバッテリ接続部３５ｂをナット５０でバッテリ端子４０のバッテリポスト３９に締付け固定する際には、前記雌コネクタハウジング３２を手指等で押さえながらナット５０を締め付けることで、前記バッテリ用ターミナル３７の供回りを防止でき、締付け作業性が向上する。
【００２９】
ここで、前記バッテリ接続部３７ｂの両側縁に係合して相対回転を阻止する回り止め手段は、前記位置決めリブ４７の構成に限るものではない。例えば、図４に示したように、分岐用ターミナル３５のバッテリ接続部３５ｂの下面に、前記バッテリ接続部３７ｂの両側縁に係合して相対回転を阻止する一対の切り起こし片４８，４８により構成することもできる。
【００３０】
尚、本発明のバッテリ端子接続コネクタは、上記実施形態における雌雄コネクタハウジング３２，３３、バッテリ用ターミナル３７及び分岐用ターミナル３５の構成に限定されるものではなく、種々の形態を採りうることは云うまでもない。
例えば、本発明における第１のコネクタハウジングを雄コネクタハウジングとし、第２のコネクタハウジングを雌コネクタハウジングとすることもでき、適宜ハウジングロック機構等を設けることもできる。
又、前記バッテリ端子４０にボルトを螺合する雌ねじを形成し、ボルトを螺合することにより、バッテリ用ターミナル及び分岐用ターミナルをバッテリ端子に締付け固定することもできる。
【００３１】
【発明の効果】
以上説明したように、本発明のバッテリ端子接続コネクタによれば、分岐用ターミナルのバッテリ接続部とバッテリ用ターミナルのバッテリ接続部とが重合した状態で、該分岐用ターミナルを収容する第１のコネクタハウジングにより覆われながらバッテリ端子に締付け固定される。
即ち、前記第１のコネクタハウジングには、作業用開口が形成されており、分岐用ターミナルのバッテリ接続部が第１のコネクタハウジング内に収容されているにも関わらず、バッテリ用ターミナルのバッテリ接続部と重合状態の分岐用ターミナルのバッテリ接続部をボルト又はナットでバッテリ端子に締付け固定することができる。
【００３２】
そして、バッテリ端子に固定された第１のコネクタハウジングに第２のコネクタハウジングを嵌合接続すると、該第２のコネクタハウジングに設けられた開口カバー部によって前記作業用開口が閉塞される。
そこで、バッテリ用ターミナルのバッテリ接続部と重合状態の分岐用ターミナルのバッテリ接続部及びバッテリ端子は、第１のコネクタハウジングと開口カバー部により覆われた状態となり、これらバッテリ接続部とバッテリ端子に外部からの埃や水滴等の異物が付着することを防止できると共に、漏電やショート等の不都合を防止できる。
【００３３】
又、バッテリ端子に固定された第１のコネクタハウジングに第２のコネクタハウジングを嵌合接続することにより、分岐用ターミナルを介して接続端子への給電という所定の機能を発揮するものであり、前記第２のコネクタハウジングの嵌合忘れは発生し得ない。
【００３４】
即ち、上記構成のバッテリ端子接続コネクタの運用時には、必ず、第１のコネクタハウジングに第２のコネクタハウジングが嵌合接続された状態が確保されるので、第２のコネクタハウジングの嵌合忘れによって、前記作業用開口が閉塞されずに上記バッテリ接続部とバッテリ端子とが露出してしまうことがない。
そして、前記作業用開口を塞ぐ開口カバー部は、第２のコネクタハウジングに一体的に設けられており、作業用開口を塞ぐための特別な閉塞操作も必要としていない。
従って、バッテリ端子に固定される分岐用ターミナルやバッテリ用ターミナルのバッテリ接続部の汚損や腐食を確実に防止することができる良好なバッテリ端子接続コネクタを提供することができた。
【図面の簡単な説明】
【図１】本発明の一実施形態に係るバッテリ端子接続コネクタの分解斜視図である。
【図２】図１に示したバッテリ端子接続コネクタの組付け状態を示す要部拡大断面図である。
【図３】図１に示した第１のコネクタハウジングの下面斜視図である。
【図４】図１に示した分岐用ターミナルの他の実施形態を示す全体斜視図である。
【図５】従来のバッテリ端子接続コネクタの分解斜視図である。
【符号の説明】
３１    バッテリ端子接続コネクタ
３２    雌コネクタハウジング（第１のコネクタハウジング）
３２ｂ  作業用開口
３３    雄コネクタハウジング（第２のコネクタハウジング）
３３ｂ  開口カバー部
３５    分岐用ターミナル
３５ｂ  バッテリ接続部
３７    バッテリ用ターミナル
３７ｂ  バッテリ接続部
３９    バッテリポスト
４０    バッテリ端子
４１    バッテリー
４７    位置決めリブ
４９    接続端子
５０    ナット
【図１】
0003622897.tif 000002
【図２】
0003622897.tif 000003
【図３】
0003622897.tif 000004
【図４】
0003622897.tif 000005
【図５】
0003622897.tif 000006